(57)【特許請求の範囲】
【請求項１】
車両において画像を表示する液晶パネルと、発光により前記液晶パネルを表示方向後側から照明する光源とを備えた車両用表示装置において、
前記液晶パネルは、
前記車両に係わる複数の情報画像を隣接して表示する情報表示画素領域を有すると共に、
前記液晶パネルと前記光源との間に配置され、前記光源からの照明光のうちの特定色調の光が透過するカラーフィルタ特性を有する光学的着色部材であって、隣接する前記複数の情報画像を、特定色調の透過光で着色する着色層を有する光学的着色部材を備えており、
かつ前記液晶パネル及び前記光学的着色部材には視認可能な指標を有する光学的位置決め部が備えられており、該光学的位置決め部は、前記液晶パネルの前記情報表示画素領域に設けた第１指標と、前記光学的着色部材の前記着色層のうち前記第１指標に対応する位置に設けた第２指標を有し、
前記光学的着色部材の前記着色層は、前記情報画像を選択的に表示する複数のセグメント画像部を特定の群毎に互いに異なる色調で着色するように区分けされ、
前記第１指標は、前記情報表示画素領域のうち前記セグメント画像部以外の背景画像を表示する領域において、当該背景画像を形成する前記液晶パネル内部の遮光層に開口した穴部であることを特徴とする車両用表示装置。
【請求項２】
前記液晶パネルは、前記情報表示画素領域を制御する制御手段であって、前記セグメント画像部を表示する第１情報表示画素領域部と、前記第１指標を表示する第２情報表示画素領域部とを独立的に制御する制御手段を有していることを特徴とする請求項１に記載の車両用表示装置。
【請求項３】
前記液晶パネルは、内部に液晶が封入された液晶セルの表示方向前側及び表示方向後側に偏光板を備え、
前記情報表示画素領域のうち、前記第１指標及び前記第１指標の周辺部には、前記表示方向前側の偏光板が配置されていないことを特徴とする請求項１に記載の車両用表示装置。
【請求項４】
前記液晶パネルの前記光学的位置決め部は、前記情報表示画素領域のうち、前記液晶パネルを前記車両に組付けた状態において目視されない位置に配置されていることを特徴とする請求項１から請求項３のいずれか一項に記載の車両用表示装置。
【発明の詳細な説明】
【技術分野】
【０００１】
本発明は、液晶パネルを備えた車両用表示装置に関する。
【背景技術】
【０００２】
従来、車両用表示装置としては、車両の異常等に対して注意を喚起するために、当該異常等に係わる車両の特定情報を、特定画像として、液晶パネルに表示するものがある。この種の液晶パネルでは、特定情報の注意度合を、複数のセグメント表示画像部の段階的な表示によるバーグラフ表示することにより、認識し易くしている（特許文献１等参照）。
【０００３】
このような車両用表示装置の一種として特許文献１の開示の装置では、液晶パネルの構成要素である、液晶を封入した液晶セル内に、上記各セグメント表示画像部に対応する表示色を透過発光可能な着色層を形成している。この技術では、液晶セル内の透明電極の表示方向前側または表示方向後側に、例えば内面印刷により上記表示色のうちの特定色の着色層を、配置するのである。
【特許文献１】特開２００７−８６１９１号公報
【発明の開示】
【発明が解決しようとする課題】
【０００４】
さて、特許文献１による従来技術では、現在の特定情報に応じて各セグメント表示画像部が段階的に表示されると共に、表示された当該画像部群に、各セグメント表示画像部に対応する表示色で色変化を与えるので、特定情報の注意度合が認識し易くなるはずである。しかしながら、本発明者が鋭意研究を行なった結果、特定情報の注意度合の認識し易さが低下する場合があるのである。以下、その理由を説明する。
【０００５】
液晶セル内に形成する着色層として、上記内面印刷可能なインクの色調数が比較的少なく、注意の喚起に適した特定の色調の着色層を得ることが難しいのである。そのため、既存の色調の着色層で上記色変化を実現することになる。言い換えると、注意の喚起に不適当な色調組み合わせによる色変化が生じ、ひいては特定情報の注意度合の認識し易さが低下するおそれがあるのである。
【０００６】
また、液晶セルの内面に印刷する方法は比較的高価であるため、注意の喚起に適した最適色調の印刷技術を開発し、開発した印刷技術で最適色調を安価に表示するということも難しいのである。
【０００７】
最適色調を表示する別の方法としては、ポリカーボネートなどの透光性を有する樹脂に、着色を施したカラーシート（光学的着色部材）を、液晶パネルの表示方向後側に配置し、液晶パネル及びカラーシートの背後からバックライト等の照明光で照明することが考えられる。この場合、色調組み合わせに使用する複数の特定色調を上記シートに印刷で着色するため、液晶パネルに表示されるセグメント表示画像部と、これに対応する特定色調に形成された特定着色層とを、位置決めする必要がある。
【０００８】
上記液晶パネルとカラーシートとを直接的に位置決めすることは難しいため、液晶パネル及びカラーシートを収容するケースまたは拡散板を介して間接的に位置決めすることになる。こうした液晶パネル及びカラーシートを間接的に位置決めする方法では、位置決め精度に限界あるのである。
【０００９】
このような位置決め方法では、例えば上記セグメント表示画像部群のうち、異なる色調で表示されるセグメント表示画像部間の距離を比較的小さくし、近接させたい場合において、特定色調で表示する予定のセグメント表示画像部の一部が、意図しない特定色調と異なる他の色調で表示されるというおそれがある。このようなことが生じると、特定情報の注意度合の認識し易さが低下するおそれがあると共に、セグメント表示画像部間の距離というデザイン上の自由度が阻害されるのである。
【００１０】
本発明は、このような事情を考慮してなされたものであり、その目的は、液晶パネルと光学的着色部材との位置決め精度を向上することの可能な車両用表示装置を提供することにある。
【課題を解決するための手段】
【００１１】
本発明は上記目的を達成するために、以下の技術的手段を備える。
【００１２】
即ち、請求項１乃至４に記載の発明では、車両において画像を表示する液晶パネルと、発光により液晶パネルを表示方向後側から照明する光源とを備えた車両用表示装置において、液晶パネルは、車両に係わる複数の情報画像を隣接して表示する情報表示画素領域を有すると共に、液晶パネルと光源との間に配置され、光源からの照明光のうちの特定色調の光が透過するカラーフィルタ特性を有する光学的着色部材であって、隣接する複数の情報画像を、特定色調の透過光で着色する着色層を有する光学的着色部材を備えており、かつ液晶パネル及び光学的着色部材には視認可能な指標を有する光学的位置決め部が備えられており、光学的位置決め部は、液晶パネルの情報表示画素領域に設けた第１指標と、光学的着色部材の着色層のうち第１指標に対応する位置に設けた第２指標を有し、光学的着色部材の着色層は、情報画像を選択的に表示する複数のセグメント画像部を特定の群毎に互いに異なる色調で着色するように区分けされ、第１指標は、情報表示画素領域のうちセグメント画像部以外の背景画像を表示する領域において、当該背景画像を形成する液晶パネル内部の遮光層に開口した穴部であることを特徴とする。
【００１３】
かかる発明では、液晶パネルの情報表示画素領域において液晶パネルの第１指標と光学的着色部材の第２指標とを重畳させることにより、隣接する情報画像と、特定色調の透過光で着色する光学的着色部材の着色層との位置決めを容易に達成することができる。また、液晶パネルと光学的着色部材との位置決め精度を向上できるため、複数のセグメント画像部の特定の群毎の異なる色調の区分けを確実に達成することができる。さらに、透明な開口部を有する穴部を通して、液晶パネルの背後にある光学的着色部材側にある第２指標を確実に視認することができるので、第１指標の穴部の透明な開口部内に、第２指標を容易に重畳させることができる。
【００１４】
また、請求項２に記載の発明では、液晶パネルは、情報表示画素領域を制御する制御手段であって、セグメント画像部を表示する第１情報表示画素領域部と、第１指標を表示する第２情報表示画素領域部とを独立的に制御する制御手段を有していることを特徴とする。
【００１５】
これによると、液晶パネルは、セグメント画像部を表示する第１情報表示画素領域部と、第１指標を表示する第２情報表示画素領域部とを有しており、しかも第１情報表示画素領域部と第２情報表示画素領域部とが独立的に制御される構成とするので、第２情報表示画素領域部のみを表示駆動することにより、液晶パネルの画面上に第１指標を表示することができる。故に、第１指標と第２指標とを重畳させることができる。
【００１６】
しかも、例えば車両用表示装置を製造するにあたって、液晶パネル及び光学的着色部材を含む構成部材を組付けた状態でなくとも、液晶パネルと光学的着色部材を組付けた状態において、第２情報表示画素領域部側の第１指標を限定的に表示駆動可能な簡易な制御装置を用いて、容易に位置決め作業が行なえるのである。
【００１７】
また、請求項３に記載の発明では、液晶パネルは、内部に液晶が封入された液晶セルの表示方向前側及び表示方向後側に偏光板を備え、情報表示画素領域のうち、第１指標及び第１指標の周辺部には、表示方向前側の偏光板が配置されていないことを特徴とする。
【００１８】
かかる発明では、液晶パネルは、内部に液晶が封入された液晶セルの表示方向前側及び表示方向後側に偏光板を備えているので、画素領域で第１指標に相当する画像を表示駆動しない限り、上記２枚の偏光板によって液晶パネルの背後にある光学的着色部材側にある第２指標を容易に視認することは難しい。しかしながら、上記構成に加えて、情報表示画素領域のうち、前記第１指標及び前記第１指標の周辺部には、前記表示方向前側の偏光板が配置されていないとの構成としているので、画素領域を表示駆動しなくとも、液晶パネルの背後にある光学的着色部材側にある第２指標を容易に視認することができる。
【００２３】
また、請求項４に記載の発明では、液晶パネルの光学的位置決め部を、情報表示画素領域のうち、液晶パネルを車両に組付けた状態において目視されない位置に配置したことを特徴とする。
【００２４】
かかる発明では、複数の情報画像を視認する際に、光学的位置決め部の位置が邪魔になることはない。
【発明を実施するための最良の形態】
【００２５】
以下、本発明の複数の実施形態を図面に基づいて説明する。なお、各実施形態において対応する構成要素には同一の符号を付すことにより、重複する説明を省略する。
【００２６】
（第１実施形態）
図１〜図４は、本実施形態による車両用表示装置を示している。図１は車両用表示装置の構成要素を模式的にしており、図３は、本実施形態による主たる特徴構成である液晶パネル及び光学的着色部材の位置決め構成を示すと共に、図２においては液晶パネルにおいて当該位置決め構成の視認状態を説明するものである。
【００２７】
図１に示すように、車両用表示装置１はコンビネーションメータとして機能するものであり、車速を表示する速度計２、燃料残量を表示す燃料残量計３、及び車両状態について乗員に注意を喚起する警告シンボル等を表示するウォーニングインジケータ４等の機能を、画像として表示する液晶パネル１０を備えた表示装置である。
【００２８】
即ち、車両用表示装置１は、概ね液晶パネル１０、バックライト２１、メイン制御部６０及び描画部７０を等から構成されている。
【００２９】
液晶パネルは透過液晶パネルであり、画像２０、３０、４０が車両の運転席側を向くようにして当該運転席の前方に設置される。この液晶パネル１０は、画像２０、３０、４０の表示目的に対応して必要に応じてＴＦＴ透過液晶パネルまたはＳＴＮ型透過液晶パネルが設置されている。本実施例では、例えば速度計２の車速を表示する車速表示画像２０は、比較的高価なＴＦＴ透過液晶パネル１１で表示される。このＴＦＴ透過液晶パネル１１は、マトリクス状に配された複数の画素を有するドットマトリクス型であり、それら各画素が駆動されることによって画像表示を実現する。ここで液晶パネル１１の各画素は、赤（Ｒ）、緑（Ｇ）、青（Ｂ）のカラーフィルタがそれぞれ配設された三色のサブ画素から構成されており、液晶パネル１１において画像のフルカラー表示が可能となっている。なお、画像４０を表示する液晶パネル１３はＳＴＮ透過型であり、各画像４０がセグメントにて形成されている。
【００３０】
また、燃料残量を表示す残量表示画像３０は、比較的安価なＳＴＮ型透過液晶パネル１２で表示される。このＳＴＮ型透過液晶パネル１２は、マトリクス状に配された複数の画素を有するドットマトリクス型であり、それら各画素が駆動されることによって画像表示を実現する。画素の駆動方法としては、例えば画素領域の全画素を順次走査する時分割駆動（ｄｕｔｙ駆動）で駆動される。
【００３１】
以下、液晶パネル１０は、ＳＴＮ型透過液晶パネル（以下、単に「透過液晶パネル」という）１２の例で説明する。
【００３２】
透過液晶パネル１２は、残量表示画像３０を備えており、残量表示画像３０は、図２のように、所定の物理量を象徴するシンボル画像として視認される複数の「セグメント表示部」としての表示ブロック３１から構成されている。表示ブロック３１は、図中の左右方向に所定の間隔３２を配列され、バーグラフに表示される。
【００３３】
また、透過液晶パネル１２は、表示ブロック３１の配列方向に沿って目盛３３ａ、及び文字３３ｂからなる指標画像３３を備えており、文字３３ｂは、残量が零の下限を示す下限指標３３ａ１に対応して「Ｅ」、残量が満タンの上限を示す上限指標３３ａ２に対応して「Ｆ」が配置されている。
【００３４】
さらにまた、透過液晶パネル１２は、上記残量表示画像３０及び指標画像３３の周辺の背景を表示可能な背景画像３４を備えており、残量表示画像３０、指標画像３３、及び背景画像３４を表示する画素領域（以下、燃料残量情報表示画素領域という）１４が設けられている。
【００３５】
燃料残量情報表示画素領域１４は、残量表示画像３０及び指標画像３３を略中央部に表示すると共に、透過液晶パネル１２の外縁部分を除く矩形の領域内で画素駆動が可能である。また、乗員が視認する視認範囲内の画面１５は、図１〜３に示すように、透過液晶パネル１２の中央部に限定されており、透過液晶パネル１２の図中左右方向の両端部１６は、画面１５外となっている。この画面１５は車室内に配置された表示装置１のケーシング１９に形成された開口部が透過液晶パネル１２に対向することにより形成されたものである。
【００３６】
燃料残量情報表示画素領域１４のうち、透過液晶パネル１２の両端部１６の画素領域では、透過液晶パネル１２の表示目的の「燃料残量を表示」することはないのである。
【００３７】
バックライト２１は、「光源」としての発光ダイオード２２、２３、２４と、拡散板２５とを備えている。発光ダイオード２２、２３、２４はチップタイプであり、車両において透過液晶パネル１２の表示方向後方に設置されている。発光ダイオード２２、２３、２４はメイン制御部６０と電気接続されており、メイン制御部６０から与えられる発光駆動信号に従い駆動されることで光を放射する。拡散板２５は光透過性の樹脂で平板状に形成されており、透過液晶パネル１２の後方に当該透過パネル１２と平行に配置されている。拡散板２５は、隣接して位置する発光ダイオード２２、２３、２４からの入射光を拡散して液晶パネル１０側の発光面２６から出射することにより、発光面２６における発光輝度を全域にわたって略均一にする。
【００３８】
以上により、バックライト２１は、発光面２６からの光により、透過液晶パネル１２の全体を後方から透過照明する。
【００３９】
描画部７０は、図示しない描画回路及び画像メモリを備えている。描画回路はＡＳＩＣ等のＩＣチップからなり、車両において発光ダイオード２２、２３、２４などを実装する回路基板５０に設置されて透過液晶パネル１２及びメイン制御部６０と電気接続されている。画像メモリはＥＥＰＲＯＭからなり、上記描画回路と電気接続されている。画像メモリには、装置１の工場出荷前等において車速表示画像２０、残量表示画像３０、及び警告シンボル画像４０などが画像情報として予め記憶されている。以上により描画回路は、メイン制御部６０からの表示指令信号に応答して画像メモリから所定の特定画像に係わる画像情報を読み出し、当該表示指令信号に従って燃料残量情報表示画素領域１４などの各構成画素を駆動することによって、例えば残量表示画像３０において表示ブロック３１や指標画像３３などの構成画像を画面１５に表示させる。
【００４０】
メイン制御部６０は、制御回路及びメモリを有する周知のマイクロコンピュータからなり、車両において発光ダイオード２２、２３、２４と共に回路基板５０に設置されている。上記制御回路は、バックライト２１の発光ダイオード２２、２３、２４、及び描画部７０の描画回路、及び車両情報を取得する各種センサ部と電気接続されている。
【００４１】
また、バックライト２１のうちの拡散板２５は、車両用表示装置１の構成部材を装着するケーシング１９の段差部１９ａに収容され、発光面２６を表示方向前側に向けて固定される。これにより拡散板２５は、ケーシング１９と共に、発光ダイオード２２、２３、２４、並びにメイン制御部６０及び画像部７０等を表示方向後方に収容している。
【００４２】
ここで、メイン制御部６０及び画像部７０を、以下、単に「制御回路」という。また、拡散板２５は請求範囲に記載のケーシングに相当し、発光ダイオード２２、２３、２４は請求範囲に記載の光源に相当する。段差部１９ａは請求範囲に記載の収容枠部に相当する。
【００４３】
以上、透過液晶パネル１２を備えた車両用表示装置１の基本構成について説明した。以下、車両用表示装置１の特徴的構成について説明する。
【００４４】
（特徴的構成）
上記透過液晶パネル１２は、図３に示すように、液晶セル１２１と、液晶セル１２１の表示方向の前側及び後側に配置される一対の偏光板１２６、１２７とを備えており、液晶セル１２１は、一対の「ガラス層」としてのガラス基板１２２が「接着層」としてのシール材１２３で張り合わせられると共に、当該シール材１２３を介して貼り合わされたガラス基板１２２間に、液晶及び透明電極の液晶層１２４が配置されている。一対の偏光板１２６、１２７は、偏光方向が互いに平行に設定されており、液晶セル１２１の液晶に電圧印加されない限り、両偏光板１２６、１２７を通して透過液晶パネル１２の表示方向後方を乗員が視認することはできない。本液晶はネガタイプのため電圧印加されると液晶が直行し後方からの光が両偏光板を通過し乗員から視認することができる。また、電圧印加されないと、液晶が９０°ねじれているため後方からの光が液晶内で９０°位相がずれ平行とした偏光板を通して乗員から視認できない。
【００４５】
また、上記液晶セル１２１の表示方向の前側及び後側のガラス基板１２２のいずれかの内面（本実施例では、表示方向前側のガラス基板１２２の内面）に、内面印刷層として黒色などの遮光性の比較的高い遮光層１２５が設けられている。
【００４６】
例えば残量表示画像３０のうち、表示ブロック３１や指標画像３３などの構成画像を除く背景画像３４の一部が、この遮光層１２５で形成されている。
【００４７】
図１に示すように、透過液晶パネル１２とバックライト２１との間には、「光学的着色部材」としてのカラーシート８０が配置されている。カラーシート８０は透過液晶パネル１２に表示される上記残量表示画像３０のうちの表示ブロック３１を、バックライト２１による照明光の色調とは異なる色調の光で発光表示させるものであり、基材層８１と、基材層８１の表示方向の前側及び後側（本実施例では、表示方向前側）に配置され、特定色調の光が透過する着色層８２、８３、８４とを備えている。
【００４８】
基材層８１は、透光性材料、例えば透明なポリカーボネート樹脂なる平板状のシート部材であって、透過液晶パネル１２の少なくとも画面１５より大きく形成され、かつ画面１５の左右方向外側の端部１６に沿って延びる矩形のシート部材である。
【００４９】
着色層８２、８３、８４は、照明光のうちの特定色調の光のみを透過させるカラーフィルタ特性を有するものであり、互いに異なる特定色調に着色されている。第１着色層８２、第２着色層８３、及び第３着色層８４は、それぞれ、青色、緑色、黄色に着色されている。
【００５０】
第１着色層８２、第２着色層８３、及び第３着色層８４は、複数（本実施例では、９個）の表示ブロック３１の配列方向に沿って配置され、かつ表示ブロック３１間の間隔３２以下の隙間または隙間なく、ほぼ連続的に配置されている。
【００５１】
表示ブロック３１は、図中の右方向に順に、第１着色層８２により青色に着色される２つの表示ブロック３１の群（以下、第１表示ブロック群という）、第２着色層８３により緑色に着色される５つの表示ブロック３１の群（以下、第２表示ブロック群という）、第３着色層８４により黄色に着色される２つの表示ブロック３１の群（以下、第３表示ブロック群という）に区分けられて構成されている。表示ブロック３１の集合で示される燃料残量のバーグラフは、燃料残量を表示するとともに、乗員へ注意を喚起する注意喚起目的において乗員に喚起する注意度合に応じて満タン状態から零状態へ、青色、緑色、黄色という見栄えのある色変化を乗員に与えるのである。
【００５２】
このような見栄えのある色変化を伴なうバーグラフ状の残量表示画像を形成するため、以下の位置決め構成を有する。
【００５３】
（位置決め構成）
図２の透過液晶パネル１２の単品図、及び図４の透過液晶パネル１２とカラーシート８０の組み合わせ図に示すように、透過液晶パネル１２の画面１５外の両端部１６は、燃料残量情報表示画素領域１４内のうち、液晶パネル１２を車両に組付けた状態ではケーシング１９の背面側に位置する第２情報表示画素領域部１４ｂに、液晶セル１２１に電圧印加時（以下、単に「液晶セル作動時」という）に、透明な円を表示する「第１指標」としてのターゲットマーク（以下、第１ターゲットマークという）１７を備えている。第１ターゲットマーク１７は、図３の液晶セル１２１の遮蔽層１２５に、円状の開口部１８ａを有する穴部１８を形成することにより、液晶セル作動時に、透明な円として表示されるのである。これにより、第１ターゲットマーク１７は、開口部１８ａを通して透過液晶パネル１２の表示方向後方を視認できる位置決め規準指標（以下、内周側位置決め規準指標）となり得るのである。
【００５４】
また、カラーシート８０は、表示ブロック３１の配列方向の左右の端部において、穴部１８の開口部１８ａに対向する部位に、所定の色調で着色された「第２指標」としてのターゲットマーク（以下、第２ターゲットマークという）８７を備えている。第２ターゲットマーク８７は、印刷等により所定色調に着色され、円状を呈する着色層（以下、指標用着色層）８８をカラーシート８０の上記端部に形成するものである。これにより、第２ターゲットマーク８７は、透明な円状を呈する内周側規準線を具備する第１ターゲットマーク１７に対して、重畳可能な所定色調に着色された円状を呈する外周側規準線を具備する位置決め規準指標（以下、外周側位置決め規準指標）となり得るのである。
【００５５】
以上の構成の第１ターゲットマーク１７及び第２ターゲットマーク８７では、第１ターゲットマーク１７が発光表示時に、第１ターゲットマーク１７に第２ターゲットマーク８７を重ねることによって、両マーク１７、１８が重畳しているか否か、言い換えると位置決め完了しているか否かを視認でき、ひいては位置決め完了を判別することができるのである。
【００５６】
なお、以上説明した本実施形態において、液晶作動時とは、車両用表示装置１の正規の構成要素である制御回路６０、７０により液晶セル１２１が駆動されるものと説明したが、これに限らず、制御回路６０、７０の代用品の簡素な制御装置を用いて第２指標１７のみを表示駆動するものであってよい。この場合、上記情報表示画素領域１４は、残量表示画像３０のうち、表示ブロック３１や指標画像３３などの主な構成画像を表示する第１情報表示画素領域部１４ａと、背景画像３４の一部で、かつ画面１５外にある第１ターゲットマーク１７などの画面外画像を表示可能な第２情報表示画素領域部１４ｂとから構成されている。しかも、液晶セル１２１の透明電極群１２４が、第１情報表示画素領域部１４ａと第２情報表示画素領域部１４ｂを独立的に駆動制御することが可能な電極回路に構成されている。
【００５７】
これにより、車両用表示装置１を製造するにあたって、透過液晶パネル１２及びカラーシート８０を含む構成部材を組付けた状態でなくとも、透過液晶パネル１２とカラーシート８０を限定的に組付けた状態において、第２情報表示画素領域部１４ｂの側の第１ターゲットマーク１７を限定的に表示駆動可能な簡易な上記制御装置を用いて、容易に位置決め作業が行なえるのである。なお、表示装置１を車両に組付けた状態では上述したように、ケーシング１９の背面に両マーク１７、１８が隠蔽されるから、車両の乗員が画面１５を通して両マーク１７、１８を視認することがない。
【００５８】
また、上記第１ターゲットマーク１７及び第２ターゲットマーク８７は、それぞれ、燃料残量情報表示画素領域１４において各表示ブロック３１を表示する各構成画素を規準として配置されると共に、カラーシート８０において各着色層３２、３３、３４を規準として配置されている。具体的には、表示ブロック３１の配列方向の左右側に一対のターゲットマーク１７、１８をそれぞれ設けている。これにより、図４（ａ）に示すような第２着色層８３と第３着色層８４の第１配置関係と、隣接する第２表示ブロック群の表示ブロック３１と第３表示ブロック群の表示ブロック３１の第２配置関係とが、位置ずれを生じることなく、精度よく位置決めできるのである。
【００５９】
言い換えると、例えば第１着色層８２及び第２着色層８３が、図４（ａ）中の破線で示される第２配置関係に第１配置関係が理想的に重なり一致する状態の位置から左右にずれると、間隔３２が比較的狭いため、第２表示ブロック群の表示ブロック３１の緑色の表示であるべき一部が、第３表示ブロック群の表示ブロック３１の色表示に使用する黄色で表示される可能性を回避することができるのである。
【００６０】
このような構成によれば、表示ブロック３１の集合で示される燃料残量のバーグラフは、燃料残量を表示すると共に、乗員へ注意を喚起する注意喚起目的において乗員に喚起する注意度合に応じて満タン状態から零状態へ、青色、緑色、黄色という見栄えのある色変化を乗員に与えるのだが、表示ブロック３１の間隔３２を縮小することが可能である。それにより、従来技術のように位置ずれを考慮し、デザイン上の一体感の制約要因となる間隔３２を比較的広く確保する必要がない。
【００６１】
また、以上説明した本実施形態では、透過液晶パネル１２とバックライト２１との間に配置されるカラーシート８０によって残量表示画像３０の表示ブロック３１群に色変化を与えるので、従来技術のように複数の特殊な色調の着色層を液晶パネルの液晶セル内の内部構成要素に設置する必要がない。したがって、カラーシート８０に形成する着色層８２、８３、８４は従来技術に比べて制限なく任意に選べるので、注意の喚起に適した色調の組み合わせにより色変化を有する残量表示画像３０の表示が実現できるのである。
【００６２】
以上の構成によれば、燃料残量に係わる表示ブロック３１の集合によるバーグラフ表示において認識し易さを保証すると共に、表示ブロック３１の間隔３２を縮小することができ、表示ブロック３１間の距離というデザイン上の自由度を保証することが可能となるのである。
【００６３】
以上、車両用表示装置１の位置決めに係わる特徴的構成及び作用について説明した。以下、位置決め完了状態の透過液晶パネル１２及びカラーシート８０または両者を含む構成部材の固定構成を説明する。
【００６４】
（透過液晶パネル１２及びカラーシート８０等の固定構成）
上記の位置決め構成により位置決め完了した透過液晶パネル１２及びカラーシート８０は、図１、４に示すように、透過液晶パネル１２及びカラーシート８０間の両端に設けた接着剤等の接着部材９０により固定される。これより、当該位置決め完了した状態を接合部材９０によって容易に保持し続けることができる。
【００６５】
当該固定された透過液晶パネル１２及びカラーシート８０は、拡散板２５及びケーシング１９を含むケーシングの図示しない収容枠部に嵌め込まれ固定される。また、カラーシート８０を拡散板２５に接着剤で接合固定するという構成としてもよい。
【００６６】
なお、これらの構成に限らず、透過液晶パネル１２及びカラーシート８０の位置決めを行なう過程において、カラーシート８０を予め拡散板２５に接着等により固定した状態で、カラーシート８０を透過液晶パネル１２と位置決めする構成としてもよい。この場合、透過液晶パネル１２、カラーシート８０、及び拡散板２５の位置決め完了し固定状態のものを、ケーシング１９の「収容枠部」としての段差部１９ａに拡散板２５を挿入することで装着固定することができる。
【００６７】
以上のような構成の固定構成によれば、優れた生産性を有する車両用表示装置１が実現可能となるのである。
【００６８】
（第２実施形態）
第２実施形態を図５に示す。第２実施形態は第１実施形態の変形例である。第２実施形態では、透過液晶パネル２１２において透過液晶セル１２１の表示方向前側及び後側に配置される偏光板２２６、１２７のうち、表示方向前側の偏光板２２６の一部を切欠いた一例を示すものである。図５は透過液晶パネル２１２を示しており、図６は透過液晶パネル２１２及びカラーシート８０の位置決め構成を示すものである。
【００６９】
図５に示すように、表示方向前側の偏光板２２６は、透過液晶パネル２１２の画面１５外の両端部１６側の画素領域において、表示方向後側の偏光板１２７が配置されているにも係わらず、いずれも配置されていない。
【００７０】
言い換えると、第１ターゲットマーク１７を形成する液晶セル１２１内の遮光層１２５の穴部１８において、偏光方向が互い直交する一対の偏光板２２６、１２７が配置されているのではなく、透過する光の成分を特定の偏光方向に制限する偏光板１２７のみが配置されているのである。故に、図６に示すように制御回路６０、７０を液晶セル１２１に接続しない状態、即ち液晶セル非作動時であっても、上記偏光板１２７にて許容される光成分による透過により、第１ターゲットマーク１７は、開口部１８ａを通して透過液晶パネル１２の表示方向後方を視認できる。
【００７１】
それ故に、上記第１ターゲットマーク１７及び第２ターゲットマーク８７では、第１ターゲットマーク１７が非発光表示時であっても、第１ターゲットマーク１７に第２ターゲットマーク８７を重ねることによって、両マーク１７、１８が重畳しているか否か、言い換えると位置決め完了しているか否かを視認でき、ひいては位置決め完了を判別することが可能となる。
【００７２】
以上の構成であっても、第１実施形態とほぼ同様な効果を得ることができるのである。
【００７３】
（他の実施形態）
以上、本発明の一実施形態について説明したが、本発明は、かかる実施形態に限定して解釈されるものではなく、その要旨を逸脱しない範囲内において種々の実施形態に適用可能である。例えば、本発明の対象は、セグメント画像に限定されるものではなく、ドットマトリックスによって画像を表示するものでも勿論よいし、また光学的着色部材の複数の着色層も互いに異なる色調ではなく、単一の色調であっても勿論よい。
【図面の簡単な説明】
【００７４】
【図１】本発明の第１実施形態による車両用表示装置の概略構成を示す図であって、図１（ａ）は正面図、図１（ｂ）は図１（ａ）中のＢ−Ｂ線断面図である。
【図２】図１中の液晶パネルを示す図であって、図２（ａ）は正面図、図２（ｂ）は図２（ａ）中のＢ−Ｂ線断面図である。
【図３】図２（ｂ）の拡大図である。
【図４】図１中の液晶パネル及び光学的着色部材を位置決めする構成を説明する図であって、図４（ａ）は液晶パネルに制御回路を接続し、当該制御回路により液晶パネルを制御している状態を示す正面図、図４（ｂ）は図４（ａ）中のＢ−Ｂ線断面図である。
【図５】第２実施形態の車両用表示装置に係わる液晶パネルを示す図であって、図５（ａ）は正面図、図５（ｂ）は図５（ａ）中のＢ−Ｂ線断面図である。
【図６】第２実施形態の車両用表示装置による液晶パネル及び光学的着色部材を位置決めする構成を説明する図であって、図６（ａ）は液晶パネルに制御回路を接続していない状態を示す正面図、図６（ｂ）は図６（ａ）中のＢ−Ｂ線断面図である。
【符号の説明】
【００７５】
１  車両用表示装置
２  車速計
３  燃料残量計
４  ウォーニングインジケータ
１０  液晶パネル
１２  透過液晶パネル（ＳＴＮ型透過液晶パネル）
１４  燃料残量情報表示画素領域（画素領域）
１５  画面
１６  両端部
１７  第１ターゲットマーク（第１指標）
１８  穴部
１９  ケーシング
１９ａ  段差部（収容枠部）
２０  バックライト
２１、２２、２３  発光ダイオード（光源）
２５  拡散板
２６  発光面
３０  残量表示画像
３１  表示ブロック（セグメント表示部）
３２  間隔
３３  指標画像
３３ａ  目盛り
３３ａ１  下限指標
３３ａ２  上限指標
３３ｂ  文字
３４  背景画像
５０  回路基板
６０  メイン制御部
７０  描画部
８０  カラーシート（光学的着色部材）
８１  基材層
８２、８３、８４  着色層
８７  第２ターゲットマーク（第２指標）
８８  指標用着色層
１２１  液晶セル
１２２  ガラス基板
１２３  シール材
１２４  液晶及び透明電極
１２５  遮光層
【図１】
0005136153.tif 000002
【図２】
0005136153.tif 000003
【図３】
0005136153.tif 000004
【図４】
0005136153.tif 000005
【図５】
0005136153.tif 000006
【図６】
0005136153.tif 000007